(57)【要約】  本開示は、複数の対称的な多角形パッドセグメント（１２）を有するセグメント化した回転式フロア用剥離パッド（１０）を提供し、前記複数の対称的な多角形パッドセグメント（１２）は、部分的に重なり合う関係で一体的に固定される。前記セグメント（１２）は、不織ポリマー繊維から形成され、かつ、重複した隣接しあう側縁部に沿って、ホットメルト接着剤、超音波接合、または縫合（２２）により放射状に固定されることが好ましい。裏打ちパッドはなく、前記セグメントは対称的であるため、前記パッドは裏返して両面使用することができる。前記複数のパッドセグメント（１２）は、各パッドセグメント（１２）が角度を成した先行刃先（２４）を呈し、かつ、隣接しあうパッドセグメントの各ペアが放射状の流路（２６）を形成するよう、重なり合った態様で一体的に固定される。重ね合わせの度合いと、前記パッドセグメントの厚さとに応じて、前記刃先（２４）の提示角度は変更可能である。  【選択図】      図１
2020508827.tif 000002
【特許請求の範囲】
【請求項１】
ワックスを剥離するフロア用剥離パッドであって、
複数の平面状で多角形の対称的なパッドセグメント
を有し、
各パッドセグメントは、多孔質の不織繊維材料から形成され、
前記複数のパッドセグメントは、部分的に円周方向に重なり合う関係で一体的に固定されて、セグメント化された輪状パッドを形成し、
各パッドセグメントは、回転方向に角度を成した先行刃先を呈し、
隣接しあうパッドセグメントの各ペアは、その間に放射状に延在する流路を形成し、
前記セグメント化されたパッドは両面使用できる
フロア用剥離パッド。
【請求項２】
請求項１記載のフロア用剥離パッドであって、２４のパッドセグメントを有するフロア用剥離パッド。
【請求項３】
請求項１記載のフロア用剥離パッドにおいて、前記パッドセグメントは、それぞれの放射状に重複した隣接しあう側縁部に沿って固定されるものであるフロア用剥離パッド。
【請求項４】
請求項２記載のフロア用剥離パッドにおいて、前記パッドセグメントは、それぞれの放射状に重複した隣接しあう側縁部に沿って固定されるものであるフロア用剥離パッド。
【請求項５】
請求項３記載のフロア用剥離パッドにおいて、前記パッドセグメントは、接着剤付けと、超音波接合と、縫合とから選択される方法により固定されるものであるフロア用剥離パッド。
【請求項６】
請求項４記載のフロア用剥離パッドにおいて、前記パッドセグメントは、接着剤付けと、超音波接合と、縫合とから選択される方法により固定されるものであるフロア用剥離パッド。
【請求項７】
請求項１記載のフロア用剥離パッドにおいて、前記パッドセグメントは、不織ポリマー繊維材料から形成されるものであるフロア用剥離パッド。
【請求項８】
請求項７記載のフロア用剥離パッドにおいて、前記不織ポリマー繊維材料は、ポリアミドと、ポリエステルと、ナイロンとから成る群から選択されるものであるフロア用剥離パッド。
【請求項９】
請求項４記載のフロア用剥離パッドにおいて、前記パッドセグメントは、不織ポリマー繊維材料から形成されるものであるフロア用剥離パッド。
【請求項１０】
請求項９記載のフロア用剥離パッドにおいて、前記不織ポリマー繊維材料は、ポリアミドと、ポリエステルと、ナイロンとから成る群から選択されるものであるフロア用剥離パッド。
【請求項１１】
請求項６記載のフロア用剥離パッドにおいて、前記パッドセグメントは、不織ポリマー繊維材料から形成されるものであるフロア用剥離パッド。
【請求項１２】
請求項１１記載のフロア用剥離パッドにおいて、前記不織ポリマー繊維材料は、ポリアミドと、ポリエステルと、ナイロンとから成る群から選択されるものであるフロア用剥離パッド。
【請求項１３】
請求項１記載のフロア用剥離パッドにおいて、さらに、
前記不織繊維材料に全体にわたり分散および結合させた研磨粒子を有するものであるフロア用剥離パッド。
【請求項１４】
請求項４記載のフロア用剥離パッドにおいて、さらに、
前記不織繊維材料に全体にわたり分散および結合させた研磨粒子を有するものであるフロア用剥離パッド。
【請求項１５】
請求項６記載のフロア用剥離パッドにおいて、さらに、
前記不織繊維材料に全体にわたり分散および結合させた研磨粒子を有するものであるフロア用剥離パッド。
【発明の詳細な説明】
【技術分野】
【０００１】
本発明は、ワックスを塗布した床の清掃およびワックス剥離に関連して使用される回転式フロアパッドに関する。
【背景技術】
【０００２】
ワックスを塗布した床を剥離および清掃するフロアパッドは、当該技術分野でよく知られている。一般的な先行技術のフロアパッドは、多孔質の研磨材料でできた１枚のシートから裁断された平面的な輪状のディスクを有する。先行技術のパッドは一定用途には許容されるものであったが、床塗布物を剥離するという特定の目的では、いくつかの難点が認められてきた。先行技術パッドの一体的（モノリシック）な平面では、積極的な剥離を行う縁部が得られないため、所望するよりも長い時間が剥離工程にかかる。商業用および教育用建築物の床は、通常、一晩のうちにワックスが剥離されて再度塗布され、この作業はできるだけ早く完了することが非常に望ましい。さらに、その剥離工程には、蓄積したワックスを溶解する上で役立つ剥離液の使用が伴う。この剥離工程において、前記液および剥離されたワックス材料は急激に沈着し、前記パッドの多孔質材料に詰まって、その性能を短時間で損なってしまう。その場合は、ワックス沈着を避けるため、前記パッドを頻繁に裏返すか交換しなければならない。この急激な沈着および目詰まりにより、作業に必要なパッド数が増大し、繰り返しパッドを交換する作業時間が増えて作業コストも増大する。
【発明の概要】
【課題を解決するための手段】
【０００３】
本開示は、複数の対称的で、好ましくは多角形の、パッドセグメントを有するセグメント化した回転式フロア用剥離パッドを提供し、前記複数のパッドセグメントは、部分的に重なり合う関係で一体的に固定される。前記セグメントは、目粗の不織ポリマー繊維から形成され、かつ、重複した隣接しあう側縁部に沿って、ホットメルト接着剤、超音波接合、または縫合により放射状に固定されることが好ましい。前記パッド材料には、研磨粒子を全体にわたり分散させて耐久性の樹脂系で当該材料に結合させることができる。裏打ちパッドはなく、前記セグメントは対称的であるため、前記パッドは裏返して両面使用することができる。前記複数のパッドセグメントは、各パッドセグメントが回転方向に対して角度を成した先行刃先を呈するよう、さらに、隣接しあうパッドセグメントの各ペアが放射状に空気および流体用の流路を形成するよう、重なり合った態様で一体的に固定される。重ね合わせの度合い、前記パッドセグメントの幅、および当該パッドセグメントの厚さに応じて、前記刃先の提示角度は変更可能である。
【０００４】
使用時は、前記パッドが回転するに伴い、前記先行刃先がワックスに食い込んで、ワックスを床から積極的に剥離する。前記パッドの回転運動も、遠心力により剥離液および剥離されたワックス材料を流路に沿って放射状に外側へ押し出して、長期的に当該パッドの底面をより清浄にワックスの蓄積なく保つ。
【０００５】
一部の実施形態は、種々の数のパッドセグメントを有する場合がある。各パッドは、２４の対称的に同一のセグメントを有することが好ましい。他の実施形態には、歯状の縁部または貝殻状の縁部を含めることができる。  
【図面の簡単な説明】
【０００６】
本明細書の請求項では、本発明の特定の実施形態を特に示して明確に主張しているが、本発明の種々の実施形態は、本発明の種々の実施形態に関する以下の説明を添付の図面と併せ読むことにより、より容易に理解されるであろう。
【図１】図１は、当該セグメント化したフロア用剥離パッドの例示的な実施形態の斜視図である。
【図２】図２は、その側面図である。
【図３】図３は、その上面図である。
【図４】図４は、単一のパッドセグメントの上面図である。
【図５】図５は、その側面図である。
【図６】図６は、その斜視図である。
【発明を実施するための形態】
【０００７】
ここで図面を参照すると、本フロア用剥離パッドの一実施例が、全体として１０で図１〜６に示されている。以下より詳しく説明するように、当該フロア用剥離パッド１０は、当該技術分野で周知の回転式床洗浄機（図示せず）と併用される。この例示的パッド１０は前記機械の下に配置され、摩擦力で定位置に保たれる。他の実施例において、前記パッドは、当該パッドを同軸状に保つ前記回転式床洗浄機の中央ねじを使って定位置に保つことができる。使用時、前記パッド１０は、前記機械の下で反時計方向に回転する。
【０００８】
この実施例では、複数の対称的な多角形パッドセグメント１２を有するセグメント化した回転式フロア用剥離パッド１０を例示しており、前記複数の対称的な多角形パッドセグメント１２は、部分的に重なり合う関係で一体的に固定されて、従来の円状または輪状フロアパッドと全体的に同じサイズおよび構成の輪形状のパッドを形成する。
【０００９】
前記パッドセグメント１２は、目粗に微細凹凸加工した不織ポリマー繊維材料、例えばポリアミド、ポリエステル、またはナイロン繊維材料で形成することが好ましい。他のポリマー繊維材料も考えられる。一部の実施形態において、前記不織繊維材料は、天然繊維、例えばココナッツ繊維を含んでもよい。さらに他の実施形態において、前記不織材料は、全体にわたり均一に分散させ、かつ、フェノールまたはラテックス樹脂コーティングで前記不織繊維材料に強固に結合させた鉱物または樹脂の研磨粒子を含むことができる。この材料の不織繊維の性質は、図６で最も良く見ることができる。
【００１０】
先行技術のパッドは、事前に形成された前記材料の平面状シートから型抜きされる。ただし、その型抜き工程により大量の縁部廃棄物が生じ、それらをリサイクルまたは廃棄しなければならない。本パッドセグメント１２は、例えば同じ材料シートから型抜きできる対称的ウェッジで、廃棄物がほとんど生じない。
【００１１】
図４からわかるように、各パッドセグメント１２は、内側の弧状の周縁１４と、外側の弧状の周縁１６と、対向しあう側縁部１８、２０とを有する多角形である。前記弧状のパッドセグメント１２は、測定値約２０°の弧を有することが好ましい。ただし、他の実施形態は、より大きな若しくは小さな寸法を有する場合がある。
【００１２】
図１に戻ると、２４のパッドセグメント１２がそれぞれの重複した隣接しあう側縁部に沿って放射状に固定されて、前記輪形状のパッドを形成していることがわかるであろう。この実施例において、当該パッドセグメントは、放射状に延在するホットメルト接着剤のビーズ２２により固定されることが好ましく、そのホットメルト接着剤のビーズ２２は実質的に前記側縁部の全長に沿って延在する（図３の点線）。他の実施形態において、前記セグメントは、同じ縁部に沿って超音波接合または縫合できる。ここで注意すべき重要な点は、裏打ちパッドがなく前記セグメント１２が対称的であるため、前記パッド１２は裏返して両面使用できることである。図３に示す頂面の平面図は、底面の平面図（図示せず）と同一である。
【００１３】
図１および２を再び参照すると、前記複数のパッドセグメント１２は、各パッドセグメント１２が角度を成した先行刃先２４を呈し、かつ、隣接しあうパッドセグメントの各ペアが放射状の流路２６を形成するよう、重なり合った態様で一体的に固定される。重ね合わせの度合い、前記パッドセグメント１２の幅、および当該パッドセグメント１２の厚さに応じて、前記先行縁部２４の提示角度は変更可能である。
【００１４】
使用時は、前記パッドが回転するに伴い（図３の矢印Ａを参照）、前記先行刃先２４がワックスに食い込んで、ワックスを床から積極的に剥離する。前記パッド１２の回転運動も、遠心力により剥離液および過剰なワックス材料を流路２６に沿って放射状に外側へ押し出して（矢印Ｂを参照）、当該パッドの底面を清浄にワックスの蓄積なく保つ。
【００１５】
一部の実施形態は、種々の数のパッドセグメントを有する場合がある。各パッドは、２４の対称的に同一のセグメントを有することが好ましい。前記セグメントの寸法、形状、および構成は、個別用途に適すよう変更できる。
【００１６】
他の実施形態には、歯状の先行縁部または貝殻状の縁部を含めることができる。さらに別の実施形態には、種々の剥離作用をもたらすよう非直線状の先行縁部を含めることができる。
【００１７】
したがって、前記実施例は新規性および進歩性のあるフロア用剥離パッドを提供し、ワックス蓄積物をより迅速に床から剥離し、より長い耐用期間を有することがわかるであろう。
【００１８】
以上、本発明の種々の実施形態を実装した一定の具体的な構造を示し、説明してきたが、当業者であれば、進歩性のある根本的な概念の要旨を変更しない範囲で前記部品の種々の変更形態および再構成形態が可能であること、ならびに前記進歩性のある根本的な概念は、添付の請求請求の範囲に別段の断りがない限り、本明細書に示し説明した特定の形態に限定されないことが明確に理解されるであろう。
【図１】
2020508827.tif 000003
【図２】
2020508827.tif 000004
【図３】
2020508827.tif 000005
【図４】
2020508827.tif 000006
【図５】
2020508827.tif 000007
【図６】
2020508827.tif 000008
【手続補正書】
【提出日】令和1年12月16日(2019.12.16)
【手続補正１】
【補正対象書類名】明細書
【補正対象項目名】０００２
【補正方法】変更
【補正の内容】
【０００２】
ワックスを塗布した床を剥離および清掃するフロアパッドは、当該技術分野でよく知られている。一般的な先行技術のフロアパッドは、多孔質の研磨材料でできた１枚のシートから裁断された平面的な輪状のディスクを有する。先行技術のパッドは一定用途には許容されるものであったが、床塗布物を剥離するという特定の目的では、いくつかの難点が認められてきた。先行技術パッドの一体的（モノリシック）な平面では、積極的な剥離を行う縁部が得られないため、所望するよりも長い時間が剥離工程にかかる。商業用および教育用建築物の床は、通常、一晩のうちにワックスが剥離されて再度塗布され、この作業はできるだけ早く完了することが非常に望ましい。さらに、その剥離工程には、蓄積したワックスを溶解する上で役立つ剥離液の使用が伴う。この剥離工程において、前記液および剥離されたワックス材料は急激に沈着し、前記パッドの多孔質材料に詰まって、その性能を短時間で損なってしまう。その場合は、ワックス沈着を避けるため、前記パッドを頻繁に裏返すか交換しなければならない。この急激な沈着および目詰まりにより、作業に必要なパッド数が増大し、繰り返しパッドを交換する作業時間が増えて作業コストも増大する。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００９／００８８０５４号明細書
（特許文献２）  米国特許出願公開第２０１３／０２７３８２２号明細書
（特許文献３）  米国特許第２，１０４，９２５号明細書
（特許文献４）  米国特許第２，０２４，６９１号明細書
（特許文献５）  米国特許第６，２９９，５２０号明細書
（特許文献６）  米国特許第４，７２４，５６７号明細書
（特許文献７）  米国特許第１，２１６，４８８号明細書
（特許文献８）  米国特許第２，０３３，２５３号明細書
（特許文献９）  米国特許第３，１１０，１３９号明細書
（特許文献１０）  米国特許第３，１７６，４３８号明細書
（特許文献１１）  米国特許第４，６０７，４１２号明細書
（特許文献１２）  米国特許第４，６７９，３６０号明細書
（特許文献１３）  米国特許第４，７１８，２０４号明細書
（特許文献１４）  米国特許第５，２０１，１４９号明細書
（特許文献１５）  米国特許第５，２４７，７６７号明細書
（特許文献１６）  米国特許第５，４３８，７２８号明細書
（特許文献１７）  米国特許第５，７５２，８７６号明細書
（特許文献１８）  米国特許第６，０６６，０３４号明細書
（特許文献１９）  米国特許第６，４２８，４０６号明細書
（特許文献２０）  米国特許第６，５８２，２８９号明細書
（特許文献２１）  米国特許第６，８６９，３３９号明細書
（特許文献２２）  米国特許第７，００４，８２９号明細書
（特許文献２３）  米国特許第７，４８１，６９９号明細書
（特許文献２４）  米国特許第７，８２８，６３３号明細書
（特許文献２５）  米国特許第９，４１５，４８３号明細書
（特許文献２６）  米国特許第０，７６０，０８０号明細書
（特許文献２７）  米国特許出願公開第２０１４／００８０３９２号明細書
（特許文献２８）  独国特許出願公開第１０２００８０２５５５４号明細書
（特許文献２９）  国際公開第２０１５／１１９８２６号
（非特許文献）
（非特許文献１）  ３Ｍ  Ｆｌｏｏｒ  Ｐａｄｓ  −  "Ｄｕｒａｂｌｅ  ｓｏｌｕｔｉｏｎｓ  ｆｏｒ  ａ  ｓｕｓｔａｉｎａｂｌｅ  ｆｕｔｕｒｅ"  −  ３Ｍ  Ｓｃｉｅｎｃｅ−Ａｐｐｌｉｅｄ  ｔｏ  Ｌｉｆｅ−Ｃｌｅａｎｉｎｇ  ａｎｄ  Ｗｏｒｋｐｌａｃｅ  Ｓａｆｅｔｙ，Ｊｕｌｙ  ２０１７
（非特許文献２）  ３Ｍ  Ｈｉｇｈ  Ｐｒｏｄｕｃｔｉｖｉｔｙ  Ｐａｄ  ７３００  −  Ｔｅｃｈｎｉｃａｌ  Ｄａｔａ  Ｓｈｅｅｔ  ７３００，Ｏｃｔｏｂｅｒ  ２０１６
【国際調査報告】
2020508827.tif 000009